(57)【要約】【課題】  電源プラグが引き抜かれた直後に主電源スイッチまたは節電スイッチにより、画像形成装置を起動すると、電源内のコンデンサの電荷により供給され続ける直流電圧を用いてシステム制御部がハードディスクドライブへのアクセスを開始されるが、途中で電力供給がなくなることによるハードディスクドライブ故障を防止する。【解決手段】  電源プラグが引き抜かれた直後に主電源スイッチ３００がオン操作された場合に、ＡＣ入力検出部５０３の出力に基づいてＡＣ入力がないことが検出されると、ハードディスクドライブ３０２へのアクセスおよび電圧供給を行わない。【選択図】  図３
2020166417.tif 000002
【特許請求の範囲】
【請求項１】
商用電源が供給される情報処理装置であって、
前記商用電源からの交流電圧に基づいて直流電圧を生成するとともに、前記直流電圧により電荷を蓄えるコンデンサを有する第１電源と、
前記商用電源からの交流電圧の供給の有無を検出する検出手段と、
前記第１電源から出力される電圧に基づいて動作するとともに、前記情報処理装置の動作を制御する制御手段と、
前記制御手段からの信号によりアクセスが制御され、情報を記憶する記憶装置と、
前記情報処理装置の電源をオンするための電源スイッチと、
を備え、
前記制御手段は、前記電源スイッチがオンされたことを検出した場合に、前記検出手段が前記交流電圧の供給があることを検出していなければ、前記記憶装置に対するアクセスを行わないようにすることを特徴とする情報処理装置。
【請求項２】
前記第１電源から前記記憶装置へ電力を供給するか遮断するかを切り替える切替手段を有し、
前記制御手段は、前記電源スイッチがオンされたことを検出した場合に、前記検出手段が前記交流電圧の供給があることを検出していなければ、前記切替手段を制御することにより前記記憶装置に対する電力供給を行わないようにすることを特徴とする請求項１記載の情報処理装置。
【請求項３】
前記第１電源は、前記交流電源からの交流電圧の供給が遮断されると、前記コンデンサに蓄えられた電荷により前記制御手段に電力を供給し、
前記制御手段は、前記商用電源からの交流電圧の供給が遮断されると、前記コンデンサに蓄えられた電荷により前記第１電源から供給される電力を用いて前記検出手段の検出結果を判断することを特徴とする請求項１または２に記載の情報処理装置。
【請求項４】
前記制御手段は、前記電源スイッチがオンされたことを検出した場合に、前記検出手段が前記交流電圧の供給があることを検出していれば、前記情報処理装置の起動処理を行うことを特徴とする請求項１乃至３の何れか１項に記載の情報処理装置。
【請求項５】
前記情報処理装置は、前記記憶装置に電力供給が行われている通常モードと、前記記憶装置に電力供給が行われず、前記通常モードよりも電力消費が少ない省電力モードを有し、
前記制御手段は、前記情報処理装置が前記省電力モードにある状態で前記省電力モードからの復帰の要求を受け取った場合に、記検出手段が前記交流電圧の供給があることを検出していなければ、前記記憶装置に対するアクセスを行わないようにすることを特徴とする請求項１乃至４の何れか１項に記載の情報処理装置。
【請求項６】
更に、電気的負荷と、
前記商用電源からの交流電圧に基づいて、前記電気的負荷に電力を供給するとともに、前記制御手段からのオン信号により前記電気的負荷に電力を供給する第２電源と、
を有し、
前記制御手段は、前記電源スイッチがオンされたことを検出した場合に、前記検出手段が前記交流電圧の供給があることを検出していなければ、前記オン信号を前記第２電源へ出力しないことを特徴とする請求項１乃至５の何れか１項に記載の情報処理装置。
【請求項７】
前記記憶装置は、ハードディスクドライブであることを特徴とする請求項１乃至６の何れか１項に記載の情報処理装置。
【請求項８】
用紙に画像を形成する画像形成手段と、
請求項１乃至７の何れか１項記載の情報処理装置と、
を有することを特徴とする画像形成装置。
【発明の詳細な説明】
【技術分野】
【０００１】
本発明は記憶装置を有する情報処理装置及び画像制御装置に係わる。
【背景技術】
【０００２】
従来、ハードディスクドライブ（以下ＨＤＤ）を備えたコンピュータや画像形成装置においては、電源遮断時においてＨＤＤへのアクセス中の電源遮断によって、ＨＤＤ故障に至るリスクを回避するために、主電源スイッチまたはコンピュータからの電源遮断指示によりユーザが電源ＯＦＦを実行した場合に、シャットダウン処理としてＨＤＤへのデータ保存を行った後に、ＨＤＤ内部のヘッドユニットが規定位置まで移動してから、ＨＤＤへの電源供給を遮断することを行っている。このためには、商用電源をメカニカルなスイッチにより直接的に遮断するのではなく、ＡＣ−ＤＣ電源で生成された直流電圧を用いた主電源スイッチ検出回路により、主電源スイッチが操作されたことを検出し、システムへの電源供給を制御している。主電源スイッチがオフ操作されたことを検出した場合でも、システムとしてのシャットダウン処理を行った後にＨＤＤへの電源を遮断できるように電源システムが構成されている。
【先行技術文献】
【特許文献】
【０００３】
【特許文献１】特許第５９８４５１４号公報
【発明の概要】
【発明が解決しようとする課題】
【０００４】
前述したＡＣ−ＤＣ電源は内部にＡＣ整流後の電荷を蓄えるための電解コンデンサを備えている。電解コンデンサの役割としては安定的にＡＣ−ＤＣ電圧変換を行うことであり、比較的容量の大きいコンデンサが用いられる。商用電源が短い時間において遮断した場合や電圧が一時的に低下した場合においても、電解コンデンサに充電された電荷により、出力しているＤＣ電圧が仕様電圧範囲以下に低下することが抑制される。
【０００５】
しかしながら、電解コンデンサの容量が大きい場合、電源プラグが抜かれて商用電源の供給がなくなった後も一定時間は電解コンデンサに蓄えられた電荷が残っているために、直流電圧を出力し続けている。
【０００６】
図６は電源プラグ状態とＡＣ−ＤＣ電源出力及び電源スイッチとＨＤＤへのアクセスの状態遷移を表した図である。
【０００７】
電源プラグが抜かれるとＡＣ電圧が停止し、ＡＣ−ＤＣ電源に内蔵された電解コンデンサのチャージ電圧が低下していき、電解コンデンサの電圧が低下するまでは常夜電源の出力電圧が出力されている。
【０００８】
ＡＣ−ＤＣ電源からの直流出力の停止前にユーザが主電源スイッチをオンすると、システムとしては常夜電源が供給されているために通常通りに起動処理が開始されＨＤＤへのアクセスを開始する。その後電解コンデンサの電荷が放電するとＡＣ−ＤＣ電源からの直流出力電圧が停止し、ＨＤＤへのアクセス中にＨＤＤの電源が遮断されてしまう。その結果、ＨＤＤを故障させる可能性があった。
【０００９】
本発明は、ＡＣ電源の供給が遮断された状態での電源オン操作による記憶装置の故障を防止することを目的とする。
【課題を解決するための手段】
【００１０】
前述の課題を解決するために、本発明の情報処理装置は、
商用電源が供給される情報処理装置であって、
前記商用電源からの交流電圧に基づいて直流電圧を生成するとともに、前記直流電圧により電荷を蓄えるコンデンサを有する第１電源と、
前記商用電源からの交流電圧の供給の有無を検出する検出手段と、
前記第１電源から出力される電圧に基づいて動作するとともに、前記情報処理装置の動作を制御する制御手段と、
前記制御手段からの信号によりアクセスが制御され、情報を記憶する記憶装置と、
前記情報処理装置の電源をオンするための電源スイッチと、
を備え、
前記制御手段は、前記電源スイッチがオンされたことを検出した場合に、前記検出手段が前記交流電圧の供給があることを検出していなければ、前記記憶装置に対するアクセスを行わないようにすることを特徴とする。
【発明の効果】
【００１１】
本発明によれば、ＡＣ電源遮断後の電源オン操作による記憶装置の故障を防止することができる。
【図面の簡単な説明】
【００１２】
【図１】画像形成装置の構成を示す断面図
【図２】制御装置のブロック図
【図３】制御装置を含む画像形成装置の基本制御フローチャート
【図４】ＡＣ電圧供給時のＨＤＤへのアクセス状態を示す図
【図５】ＡＣ電圧供給時及び遮断時のＨＤＤへのアクセス状態を示す図
【図６】従来の構成におけるＡＣ電圧供給時及び遮断時のＨＤＤへのアクセス状態を示す図
【発明を実施するための形態】
【００１３】
以下、本発明を実施するための実施の形態について、図面を参照して説明する。
【００１４】
図１は本実施の形態における画像形成装置１００の構成を示す断面図である。この図により基本的な画像形成装置の動作を説明する。
【００１５】
画像形成装置１００は、記憶装置を有する情報処理装置の一例である。画像形成装置１００では用紙Ｐを収納する給紙カセット１１０を有する。用紙Ｐはピックアップローラ１１１によりカセットから取り出され、給紙ローラ１１２およびリタードローラ１１３により１枚ずつ分離給送され、搬送ローラ１１４により搬送される。その後、用紙Ｐの先端が停止しているレジストローラ対１１５につき当てられ、用紙Ｐの斜行補正が行われた後に、レジストローラ対１１５が回転することにより用紙が搬送される。
【００１６】
用紙搬送と同期して、帯電手段としての帯電ローラ１３２によって感光体ドラム１３１の外周面が所定の極性の電位に一様に帯電される。レーザスキャナユニット１２０は画像情報の時系列デジタル画素信号に応じて変調されたレーザ光Ｌを走査することで、感光体ドラム１３１上に静電潜像が形成される。
【００１７】
その後、現像器１４０の現像ローラ１４１によって、感光体ドラム１３１上の静電潜像がトナー像として現像される。転写ローラ１３３には感光体ドラム１３１とは逆極性の転写バイアスが印加されることで、感光体ドラム１３１上のトナー像が搬送された用紙Ｐ上に静電転写される。
【００１８】
定着器１５０では定着フィルム１５１と定着フィルム１５１の内側に配置された定着ヒータ１５３と加圧ローラ１５２によってニップが形成されており、そのニップ部を用紙Ｐが通過する。用紙上のトナー像は定着ヒータ１５３の発熱と圧力により加熱溶融され、用紙Ｐ上に定着される。その後、用紙Ｐは排紙ローラ１６０により排紙トレイ１６１に排出される。
【００１９】
図２は画像形成装置の制御ブロック図である。
【００２０】
商用電源５００は、第１電源５０１と第２電源５０２とＡＣ入力検出部５０３に接続され、第１電源５０１は商用電源５００から供給されるＡＣ電圧を所定のＤＣ電圧に変換して生成しシステム制御部３００に供給する。また、第１電源は、電解コンデンサ５１０を有しており、ＡＣ電圧を整流平滑した直流電圧により電荷が電解コンデンサ５１０に蓄えられ、ＡＣ入力が遮断されても、一定時間、電解コンデンサ５１０から直流電圧を供給可能である。
【００２１】
第２電源５０２はシステム制御部３００から出力される第２電源ＯＮ信号により制御され、商用電源５００から供給されるＡＣ電圧を所定のＤＣ電圧に変換して生成し、駆動制御部２００に供給する。
【００２２】
また、商用電源５００に接続されたＡＣ入力検出部５０３ではＡＣ電圧が供給されているか否かを検出し、システム制御部３００と駆動制御部２００にそれぞれ通知する。
【００２３】
システム制御部３００は不図示のＲＯＭに格納されたプログラムに従って画像形成装置の制御を行う。
【００２４】
システム制御部３００には、画像データ等を記録するための記憶装置としてのハードディスクドライブ（以降はＨＤＤ）３０２が接続されており、システム制御部３００からのＯＮ信号によりスイッチ回路（以降はＳＷ回路）３０３でＨＤＤ３０２への電源供給が制御され、システム制御部３００がＨＤＤ３０２の駆動を制御する。
【００２５】
主電源スイッチ３０１の一方の端子は第１電源５０１の出力に接続されており、他方の端子は主電源スイッチ状態検出信号として、システム制御部に接続される。
【００２６】
ユーザが主電源スイッチ３０１をオン操作すると、システム制御部にＨレベルの主電源スイッチ状態検出信号が入力される。
【００２７】
主電源スイッチ３０１の構成は、ユーザが主電源スイッチ３０１を押している間だけ、押されていることを示す信号を出力する構成でもよいし、押された状態を保持する構成もよい。また、シーソー形式のスイッチでもよい。
【００２８】
システム制御部３００は主電源スイッチ状態検出信号がＨレベルとなったことを検出すると、第２電源５０２を起動させるための第２電源ＯＮ信号を出力する。
【００２９】
システム制御部３００には節電スイッチ３０４が接続されており、節電スイッチ３０４が押下されたことを検出すると、システム制御部３００は、画像形成装置を省電力モードとしてのスリープ状態へ移行したり、スリープ状態から通常モードとしての通常状態へ復帰させる。
【００３０】
通常状態では、ＨＤＤ３０２に第１電源から電力が供給されているが、スリープ状態では、ＨＤＤ３０２へは電力供給が行われず、情報処理装置の消費電力も通常状態よりもスリープ状態の方が小さい。
【００３１】
第２電源５０２からの出力電圧は駆動制御部２００へ供給される。駆動制御部２００は画像形成装置１００の負荷である各駆動部を制御している。これらの負荷には、画像形成に必要となる高圧電源を生成する高圧回路２０１、定着ユニット２０２を駆動する負荷、用紙搬送の駆動源であるモータ２０３等が含まれる。駆動制御部２００は、これらの負荷へ第２電源５０２で生成された電圧の供給を制御することで画像形成動作を実行する。
【００３２】
外部Ｉ／Ｆ６００は、ＬＡＮ等の通信回線を介して接続される外部のコンピュータからの印刷ジョブを受け取るためのインターフェースである。
【００３３】
図３を用いてシステム制御部が実行する画像形成装置の基本的な制御シーケンスを説明する。
【００３４】
電源プラグが商用電源５００に接続されると画像形成装置へのＡＣ供給が開始され、第１電源５０１が起動し、画像形成装置は主電源スイッチ３０１のオン操作を待つ待機状態となる。待機状態において、システム制御部３００は、主電源スイッチ３０１がオンされたか否かを判断する（Ｓ１０２）。システム制御部３００は、主電源スイッチ３０１がＯＮされたことを検出すると、ＡＣ入力検出部５０３の出力に基づいて、ＡＣ入力の有無を判断する（Ｓ１０３）。ＡＣ入力有が検出された場合、システム制御部３００は第２電源５０２を起動するためのＯＮ信号を出力し第２電源５０２を起動させる（Ｓ１０４）。
【００３５】
その後、システム制御部３００はＳＷ回路３０３へＯＮ信号を出力することにより、ＨＤＤ３０２への電源供給を行い、ＨＤＤ３０２へのアクセスを開始する（Ｓ１０５）。
【００３６】
その後、システム制御部３００は、駆動制御部２００の起動処理を実施し（Ｓ１０６）、駆動制御部２００での初期化が終了すると画像形成装置はレディ状態へ移行する。その後、システム制御部３００は、スリープ状態へ移行する条件が成立しているか否かを判定する（Ｓ１０７）。
【００３７】
画像形成装置がレディ状態においてスリープ移行要求があった場合は（Ｓ１０７＿ＹＥＳ）、システム制御部３００は、ＨＤＤ３０２へのデータ退避処理を行い（Ｓ１１４）、第２電源オン信号をＬレベルにすることにより第２電源５０２をオフする（Ｓ１１５）。その後、システム制御部３００は、ＨＤＤ３０２へのデータ退避処理が終了するとＳＷ回路３０３によりＨＤＤ３０２の電源をオフし（Ｓ１１６）、画像形成装置をスリープ状態へ移行する。
【００３８】
その後、システム制御部３００は、スリープ復帰要求があるか否か判断し（Ｓ１１７）、スリープ復帰要求がなければスリープ状態を維持する。システム制御部３００は、スリープ復帰要求があった場合は（Ｓ１１７＿ＹＥＳ）、Ｓ１０３へ戻り、ＡＣ入力検出部５０３の出力に基づいてＡＣ入力の有無を判断する。
【００３９】
Ｓ１０７において、スリープ状態への移行条件が成立していない。即ち、画像形成装置がレディ状態においてシステム制御部３００は、画像形成要求が入力されたか否かを判断する（Ｓ１０８）。画像形成要求があった場合、システム制御部３００は、画像形成処理を実行する（Ｓ１０９）。
【００４０】
その後、システム制御部３００は、主電源スイッチ３０１がオフ操作されたか否かを判断し（Ｓ１１０）、主電源スイッチ３０１がオフ操作された場合は、システムとしてのシャットダウン処理を実行する（Ｓ１１１）。システム制御部３００は、引き続き、第２電源５０２をオフ状態にし（Ｓ１１２）、ＨＤＤ３０２への処理が完了するとＳＷ回路３０３によりＨＤＤ３０２の電源をオフする（Ｓ１１３）。再び、主電源スイッチ３０１のオン操作を待つ待機状態が維持される。
【００４１】
画像形成装置がレディ状態において画像形成要求がない場合（Ｓ１０７＿ＮＯ）、又は主電源スイッチ３０１がオフされない場合は（Ｓ１０９＿ＮＯ）、レディ状態が維持される。
【００４２】
Ｓ１０３において、ＡＣ入力が検出されない場合は、システム制御部３００は、システムの起動を行わずに処理停止する（Ｓ１１８）。即ち、システム制御部３００は、ＳＷ回路３０３へのＯＮ信号を出力しない。また、システム制御部３００は、第２電源ＯＮ信号も出力しない。この状態においては、画像形成装置は、電源プラグが抜けた状態または停電等で商用電源が供給されない状態である。従って、第１電源に設けられた電解コンデンサに蓄積された電荷がなくなると、第１電源５０１の出力が停止する。このためＨＤＤ３０２への電源供給を行わずに停止状態となることでＨＤＤ３０２へのアクセス途中での電源遮断を回避することができる。
【００４３】
また、この状態で再度商用電源５００が供給されると、前述のフローチャートの処理が実行される。なお、主電源スイッチ３０１の構成がオンの状態を維持するような構成である場合は、再度商用電源５００が供給された際に、主電源スイッチ３０１がオンされたものとしてＳ１０３に進んでもよい。
【００４４】
図４は、電源プラグが商用交流電源のコンセントに挿入され、交流電圧が画像形成装置１００に供給されている状態でのＨＤＤ３０２へのアクセス状態を示す図である。プラグイン状態で主電源スイッチ３０１がオンされるまでは、ＨＤＤ３０２への電力供給が行われておらず、ＨＤＤ３０２も停止状態である。主電源スイッチ３０１がオン操作されると、ＡＣ入力検出部５０３の出力信号がＨレベルなので、ＳＷ回路ＯＮ信号によりＳＷ回路３０３がＨＤＤ３０２へ電力供給を行い、システム制御部３００によるＨＤＤ３０２へのアクセスが行われる。
【００４５】
図５は、プラグイン後の待機状態（図３のＳ１０２でＮｏ）で、電源プラグオフ直後に電源スイッチ３０１がオン操作された際の電源の状態遷移とＨＤＤ３０２へのアクセス状態を示す図である。
【００４６】
電源プラグが抜かれるとＡＣ電圧の入力が停止し、ＡＣ入力検出部５０３の出力信号がＬレベルになり、第１電源５０１に内蔵された電解コンデンサ５１０のチャージ電圧が低下していく。この電解コンデンサ５１０の電圧が所定値に低下するまでは第１電源５０１の出力電圧が出力されている。この所定値は、システム制御部３００が動作可能な下限の電源電圧を第１電源５０１が出力可能な電圧である。
【００４７】
第１電源５０１からの出力が停止する前に主電源スイッチ３０１がＯＮされると、システム制御部３００はＡＣ入力検出部５０３の出力信号を参照し、出力信号が出力されていない、即ち、ＡＣ入力がない場合は、ＳＷ回路３０３をＯＦＦ状態のままとし、ＨＤＤ３０２への電源供給は行わない。その後、電解コンデンサの電荷の放電が進むと、第１電源５０１の出力電圧が低下し、システム制御部３００は動作停止する。
【００４８】
なお、電源プラグオフ後の主電源スイッチ３０１のオン操作だけでなく、電源プラグオフ直後にスリープ復帰要求が入力された場合も同様である。スリープ復帰要求としては、節電スイッチ３０４の操作やネットワークに接続された複数のコンピュータからの印刷要求などである。
【００４９】
上述した実施形態では、記憶装置としてＨＤＤを用いているが、ＨＤＤ以外でも、アクセス途中の電源遮断で故障が起きる可能性がある記憶装置であれば、本発明を適用できる。
【００５０】
本実施の形態によれば、主電源スイッチのオンを待機している状態でＡＣ電源が遮断された直後に電源スイッチが操作されても、記憶装置の故障を防止することができる。
【符号の説明】
【００５１】
３００  システム制御部
３０１  主電源スイッチ
３０２  ＨＤＤ
３０３  ＳＷ回路
５００  商用電源
５０１  第１電源
５０２  第２電源
５０３  ＡＣ入力検出部
５１０  電解コンデンサ
【図１】
2020166417.tif 000003
【図２】
2020166417.tif 000004
【図３】
2020166417.tif 000005
【図４】
2020166417.tif 000006
【図５】
2020166417.tif 000007
【図６】
2020166417.tif 000008